(57)【特許請求の範囲】
【請求項１】
競馬開催日に預金の引出及び振込ができない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員端末からそれぞれ対応するインターネット回線を経由してそれぞれに対応し応答サブシステムに接続して勝馬投票申込のアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或はその投票内容照会結果を前記応答サブシステムから前記電話回線を介して前記会員端末へ送信する複数の応答サブシステムからなる電話回線経由投票システムにおいて、
前記電話回線経由投票システムは、会員の操作するパソコン端末と、非会員の操作するパソコン端末とからインターネットを経由して入力するアクセス信号を受信するパソコン応答サブシステムと、会員の操作する携帯電話と、非会員の操作する携帯電話とからその携帯電話対応各社のインターネット通信網を経由して入力するアクセス信号を受信する各社携帯電話応答サブシステムと、前記応答サブシステムからの入力信号により非会員を一時的会員として登録し、或は電子マネー確認・決済する処理を行い、その結果データを前記応答サブシステムへ出力する電子マネー決済サブシステムと、前記応答サブシステムと前記電子マネー決済サブシステムを中継する中継サーバと、総合運用監視装置とから構成され、
前記応答サブシステムは、会員及び非会員端末からのアクセス信号に応答するための、それぞれファイアウォール、Ｗｅｂサーバ、投票・情報照合応答コンピュータを備え、
その投票・情報照会応答コンピュータは、
会員端末からのアクセス信号を受信した場合、所定の投票・情報照会応答処理を総合センタと交信して行う投票・情報照会応答手段と、
非会員端末からのアクセス信号を受信した場合、その非会員が一時的会員に加入しているか否かを判定するためにアクセス時の一時的会員ＩＤを調べ、一時的会員でなければ、電子マネー決済サブシステムに対して一時加入者管理ファイルを更新させ、その非会員を一時的会員に登録させ、その登録結果を受けそのデータと投票システムへのアクセス用一時的会員ＩＤ、パスワードを生成し非会員端末へ返信する一時的会員登録処理／返信手段と、
一時的会員がその非会員端末からなるインターネットを介して投票を行うに際し、投票に関するデータと共に電子マネーに関する電子マネーＩＤ、暗証番号、名前を少なくとも入力したデータを受信し、投票券購入処理し、電子マネーに関するデータを電子マネー決済サブシステムへ送り、本人認証と利用可能額の確認をさせ、一時加入者管理ファイルを更新させ、総合センタと交信して電子マネーにより会員と同様な投票処理を行う一時的会員投票処理手段と、
一時的会員が勝馬投票が的中した場合は前記一時加入者管理ファイルを更新させて次回投票の際にその的中金額からでも投票可能とする的中金処理手段とから構成し、
一方、前記電子マネー決済サブシステムは、ファイアウォール、Ｗｅｂサーバ、決済コンピュータを少なくとも備え、その決済コンピュータは、投票・情報照会応答コンピュータからの非会員を一時的に登録する信号を入力すれば、一時加入者管理ファイルを更新し、その結果を応答コンピュータへ出力する一時会員登録手段と、応答コンピュータから電子マネーＩＤ、暗証番号、名前を入力すれば、そのデータの電子マネーＩＤにより前記電子マネーシステムセンタから配信された支払拒絶リストを含む電子マネー認証照会確認を行い、認証すれば本人認証と投票資金額を確認すると共に一時加入者管理ファイルのデータを更新し、その結果を応答コンピュータへ中継サーザを介して返信する電子マネー確認手段を備え、
前記的中金額処理は、開催１節終了後に、該当的中金額を前記電子マネー発行主体の決済金融機関口座にインターネットを介して振込み送信をすると共に、前記電子マネーシステムセンタに対しインターネットを介して受け入れた電子マネー情報データを提示し資金化請求し、システムは電子マネー発行主体から手数料が引かれた金額の入金を受けることを特徴とする一時的会員に登録の非会員対応電話回線経由投票システム。
【発明の詳細な説明】
【０００１】
【発明の属する技術分野】
本発明は競馬開催日に預金の引出、振込が出来ない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員端末からそれぞれ対応するインターネットを経由して勝馬投票を行うシステムにおいて、非会員であっても、電子マネーを持っていれば、前記投票システムへ非会員の操作するＷｅｂブラウザを有するパソコン、インターネット対応の各社携帯電話の各会員端末からそれぞれ対応するインターネットを経由して勝馬投票を行うシステムにおいて、前記会員制に加入していない非会員がパソコン又は携帯電話からインターネットを介して前記会員制の投票システムに接続し、前記ロック口座がなくとも、電子マネーにより会員と同様な電話回線経由投票を、その非会員が行える投票システムに関する。
【０００２】
【従来の技術】
電話回線による従来の標準的な投票システムを図５に基いて述べる。前述のような競馬開催日（土・日曜日）に現金の引出・振込ができないロック口座に投票資金を予め預金してインターネット２１，２２を介して、勝馬投票が行える会員制の投票システム１００を図５の中段に一実施例として示してある。
【０００３】
この電話回線経由投票システム１００は２つのサブシステム１０１，１０２からなる。
【０００４】
１０１は会員のＷｅｂブラウザ付パソコン３１，３１からインターネット２１を介するアクセス信号に応答するパソコン応答システムである。そのサブシステム１０１はファイアウォール１０１ａ、Ｗｅｂサーバ１０１ｂ、投票・情報照会応答コンピュータ１０１ｃからなる。
【０００５】
１０２は会員のインターネット対応携帯電話３２，３２からそれらの各社インターネット対応携帯電話網２２を介するアクセス信号に応答する各社携帯電話応答サブシステムである。そのサブシステム１０２はファイアウォール１０２ａ、Ｗｅｂサーバ１０２ｂ、投票・情報照会応答コンピュータ１０２ｃからなる。さらに、それらを総合する運用監視装置１０５を備える。
【０００６】
これらの応答サブシステム１０１，１０２は図５に示すように総ての競馬場内外発信端末群６０から（電話回線経由投票データも含まれる）その投票データを収集する計算センタ及びその開催地／出馬表／オッズ情報／各案内を蓄積した情報センタからなる総合センタ４０とそのバックアップセンタ５０に専用回線で接続し、投票データ申込処理又は各種情報照合処理を行い、その結果を各会員端末へ返信を行っていた。
【０００７】
これらのサブシステム１０１，１０２からなる投票システム１００はそれぞれ各種の障害に対応してシステムダウンとならないように２系統或いは冗長構成としたり、さらにファイアウォールを複数段備えて開催日当日の稼動中の高信頼性が確実に維持されるようにして投票システム１００は投票受付とその結果処理を行っていた。
【０００８】
しかしながら、その投票システム１００には以下のような問題点があった。すなわち、専用の銀行口座開設手続き（ロック口座の開設）は手続に時間がかかり、申込み利用者およびシステム主催者側双方にとって煩雑な作業であった。従って、利用者が、電話回線経由投票会員となるには、予め時間的余裕をもって手続を行う必要があった。
【０００９】
【発明が解決しようとする課題】
本発明は前述した点に鑑みてなされたものであり、その目的とするところは、電話回線経由投票システムは従来ではロック口座を持つ会員だけが利用できるようになっていたが、その投票システムに電子マネー決済サブシステムを設けて、非会員であっても、電子マネーを持っていれば、前記投票システムに非会員端末をインターネットを介して接続することにより一時的会員となり、従来の会員と同様、電子マネーを投票資金として勝馬投票を行う手段を備える非会員対応の電話回線経由投票システムを提供することにある。
【００１０】
【課題を解決するための手段】
前記課題を解決するため、本発明の一時的会員に登録の非会員対応電話回線経由投票システムは、競馬開催日に預金の引出及び振込ができない契約がなされた金融機関の指定口座であるロック口座に投票資金を予め預金して勝馬投票が行える会員制の加入者が操作を行うＷｅｂブラウザを有するパソコン、インターネット対応の各社携帯電話の各会員端末からそれぞれ対応するインターネット回線を経由してそれぞれに対応し応答サブシステムに接続して勝馬投票申込のアクセス信号に応答して、複数の競馬場内外の現金投票所の発信端末からの通信回線を経由して送信される投票データを集計する計算センタと開催案内／出馬表／オッズ情報を蓄積する情報センタよりなる総合センタと交信し、前記勝馬投票受付とその結果或はその投票内容照会結果を前記応答サブシステムから前記電話回線を介して前記会員端末へ送信する複数の応答サブシステムからなる電話回線経由投票システムにおいて、
前記電話回線経由投票システムは、会員の操作するパソコン端末と、非会員の操作するパソコン端末とからインターネットを経由して入力するアクセス信号を受信するパソコン応答サブシステムと、会員の操作する携帯電話と、非会員の操作する携帯電話とからその携帯電話対応各社のインターネット通信網を経由して入力するアクセス信号を受信する各社携帯電話応答サブシステムと、前記応答サブシステムからの入力信号により非会員を一時的会員として登録し、或は電子マネー確認・決済する処理を行い、その結果データを前記応答サブシステムへ出力する電子マネー決済サブシステムと、前記応答サブシステムと前記電子マネー決済サブシステムを中継する中継サーバと、総合運用監視装置とから構成され、
前記応答サブシステムは、会員及び非会員端末からのアクセス信号に応答するための、それぞれファイアウォール、Ｗｅｂサーバ、投票・情報照合応答コンピュータを備え、
その投票・情報照会応答コンピュータは、
会員端末からのアクセス信号を受信した場合、所定の投票・情報照会応答処理を総合センタと交信して行う投票・情報照会応答手段と、
非会員端末からのアクセス信号を受信した場合、その非会員が一時的会員に加入しているか否かを判定するためにアクセス時の一時的会員ＩＤを調べ、一時的会員でなければ、電子マネー決済サブシステムに対して一時加入者管理ファイルを更新させ、その非会員を一時的会員に登録させ、その登録結果を受けそのデータと投票システムへのアクセス用一時的会員ＩＤ、パスワードを生成し非会員端末へ返信する一時的会員登録処理／返信手段と、
一時的会員がその非会員端末からなるインターネットを介して投票を行うに際し、投票に関するデータと共に電子マネーに関する電子マネーＩＤ、暗証番号、名前を少なくとも入力したデータを受信し、投票券購入処理し、電子マネーに関するデータを電子マネー決済サブシステムへ送り、本人認証と利用可能額の確認をさせ、一時加入者管理ファイルを更新させ、総合センタと交信して電子マネーにより会員と同様な投票処理を行う一時的会員投票処理手段と、
一時的会員が勝馬投票が的中した場合は前記一時加入者管理ファイルを更新させて次回投票の際にその的中金額からでも投票可能とする的中金処理手段とから構成し、
一方、前記電子マネー決済サブシステムは、ファイアウォール、Ｗｅｂサーバ、決済コンピュータを少なくとも備え、その決済コンピュータは、投票・情報照会応答コンピュータからの非会員を一時的に登録する信号を入力すれば、一時加入者管理ファイルを更新し、その結果を応答コンピュータへ出力する一時会員登録手段と、応答コンピュータから電子マネーＩＤ、暗証番号、名前を入力すれば、そのデータの電子マネーＩＤにより前記電子マネーシステムセンタから配信された支払拒絶リストを含む電子マネー認証照会確認を行い、認証すれば本人認証と投票資金額を確認すると共に一時加入者管理ファイルのデータを更新し、その結果を応答コンピュータへ中継サーザを介して返信する電子マネー確認手段を備え、
前記的中金額処理は、開催１節終了後に、該当的中金額を前記電子マネー発行主体の決済金融機関口座にインターネットを介して振込み送信をすると共に、前記電子マネーシステムセンタに対しインターネットを介して受け入れた電子マネー情報データを提示し資金化請求し、システムは電子マネー発行主体から手数料が引かれた金額の入金を受けることを特徴とする。
【００１３】
【発明の実施の形態】
本発明の実施の形態を以下図に基づいて説明する。
【００１４】
図１は、本発明の一時的会員に登録の非会員対応の電話回線経由投票システムの一実施例の構成を示す。
図１において、１０は非会員対応の電話回線経由投票システム、３１は会員のＷｅｂブラウザ付パソコン、８１は非会員のＷｅｂブラウザ付パソコン、３２は会員のインターネット対応各社携帯電話、８２は非会員のインターネット対応各社携帯電話、９０は金融機関等の電子マネーシステムセンタ、２１はインターネット、２２はインターネット対応各社携帯電話の電話回線網を示す。
【００１５】
また、４０は集計した投票データの計算センタ及び情報センタからなる総合センタ、５０はそのバックアップセンタ、６０は競馬場内外発信端末群を示す。
【００１６】
電話回線経由投票システム１０は、会員の操作するパソコン端末３１、非会員の操作するパソコン端末８１からインターネット２１を経由して入力するアクセス信号を受信するパソコン応答サブシステム１１と、会員の操作する携帯電話３２、非会員の操作する携帯電話８２からその携帯電話対応各社のインターネット通信網２２を経由して入力するアクセス信号を受信する各社携帯電話応答サブシステム１２と、応答サブシステム１１，１２からの入力信号により非会員を一時的会員として登録し、或は電子マネー確認・決済する処理を行い、その結果データを応答サブシステム１１、１２へ出力する電子マネー決済サブシステム１９と、サブシステム１１，１２とサブシステム１９を中継する中継するサーバ１８と、総合運用監視装置１５とから構成させる。
【００１７】
次に、応答サブシステム１１，１２はそれぞれファイアウォール１１ａ，１２ａ、Ｗｅｂサーバ１１ｂ，１２ｂ、投票・情報照合応答コンピュータ１１ｃ，１２ｃからなり、会員及び非会員端末３１，３２，８１，８２からのアクセス信号に応答する。
【００１８】
その投票・情報照会応答コンピュータ１１ｃ，１２ｃは、それぞれ以下に述べる各手段１１ｗ，１１ｘ，１１ｙ，１１ｚ，１２ｗ，１２ｘ，１２ｙ，１２ｚを備える。
【００１９】
ここで、手段１１ｗ，１２ｗはそれぞれ会員端末３１，３２からのアクセス信号である場合、所定の投票・情報照会応答処理を総合センタ４０と交信して行う投票・情報照会応答手段１１ｗ，１２ｗである。
【００２０】
また、手段１１ｘ，１２ｘはそれぞれ非会員端末８１，８２からのアクセス信号である場合、その非会員が一時的会員に加入しているか否かを判定するためにアクセス時の一時的会員ＩＤを調べ、一時的会員でなければ、電子マネー決済サブシステム１９に対して一時加入者管理ファイル１９ｚを更新させ、その非会員を一時的会員に登録させ、その登録結果を受けそのデータと投票システム１０へのアクセス用一時的会員ＩＤ、パスワードを生成し非会員端末８１，８２へ返信する一時的会員登録処理／返信手段１１ｘ，１２ｘである。
【００２１】
また、手段１１ｙ，１２ｙは、それぞれ一時的会員がその非会員端末８１，８２からなるインターネット２１，２２を介して投票を行うに際し、投票に関するデータと共に電子マネーに関する電子マネーＩＤ、暗証番号、名前を少なくとも入力したデータを受信し、投票券購入処理し、電子マネーに関するデータを電子マネー決済サブシステム１９へ送り、本人認証と利用可能額の確認をさせ、一時加入者管理ファイル１９ｚを更新させ、総合センタ４０と交信して電子マネーにより会員と同様な投票処理を行う一時的会員投票処理手段１１ｙ，１２ｙである。
【００２２】
また、手段１１ｚ，１２ｚはそれぞれ一時的会員が勝馬投票が的中した場合は前記一時加入者管理ファイル１９ｚを更新させて次回投票の際にその的中金額からでも投票可能とする的中金処理手段１１ｚ，１２ｚである。
【００２３】
一方、前記電子マネー決済サブシステム１９はファイアウォール１９ａ、Ｗｅｂサーバ１９ｂ、決済コンピュータ１９ｃを少なくとも備え、
その決済コンピュータ１９ｃは、投票・情報照会応答コンピュータ１１ｃ，１２ｃからの非会員を一時的に登録する信号を入力すれば、一時加入者管理ファイル１９ｚを更新し、その結果を応答コンピュータ１１ｃ，１２ｃへ出力する一時会員登録手段１９ｘと、
応答コンピュータ１１ｃ，１２ｃから電子マネーＩＤ、暗証番号、名前を入力すれば、そのデータの電子マネーＩＤにより前記電子マネーシステムセンタから配信された支払拒絶リストを含む電子マネー認証照会確認を行い、認証すれば本人認証と投票資金額を確認すると共に一時加入社管理ファイル１９ｚのデータを更新し、その結果を応答コンピュータ１１ｃ，１２ｃへ中継サーザ１８を介して返信する電子マネー確認手段１９ｙとを備える。
【００２４】
次に、一時的会員に登録の非会員対応電話回線経由投票システムの動作の
流れを図２、図３に基づいて説明する。
【００２５】
図２のＳ２２は会員が端末３１，３２を操作した場合のアクセス信号に対する投票・情報照会応答手段１１ｗ，１２ｗを示す。
【００２６】
Ｓ２３は非会員が端末８１，８２を操作した場合のアクセス信号に対する一時的会員登録処理／返信手段１１ｘ，１２ｘの前半を示す。Ｓ２４はＳ２３の入力を受けた電子マネー決済サブシステム１９の一時会員登録手段１９ｘを示し、Ｓ２５は応答コンピュータ１１ｃ，１２ｃの一時的会員登録処理／返信手段１１ｘ，１２ｘの後半を示す。
【００２７】
Ｓ２６は一時会員が端末８１，８２から操作して投票する場合のアクセス信号に対する一時的会員投票処理手段１１ｙ，１２ｙの前半を示す。
【００２８】
図３のＳ３１，Ｓ３２は決済コンピュータ１９ｃの電子マネー確認手段１９ｙを示し、Ｓ３３は一時的会員投票処理手段１１ｙ，１２ｙの後半を示す。
【００２９】
Ｓ３４は応答コンピュータ１１ｃ，１２ｃの的中金処理手段１１ｚ，１２ｚを示す。
【００３０】
図４は、図１の例において、非会員すなわち一時的会員の端末８１，８２の一実施例の画面イメージを示す。一時的会員の場合は、ロック口座は勿論無く、電子マネーと的中金額とのいずれからでも投票に使用できるように図４のように画面に表示されるようになる。そのため３種類の投票処理ボタンが表示されている。
【００３１】
なお、本発明の実施に当たって、競馬法に定める投票行為の制限規定に該当するものは利用できない旨の告知及び確認を行なうことは言うまでもない。例えば、登録画面で学生・未成年者の利用制限を告知する他に、一時加入者管理ファイルには銀行口座番号と、口座名義人氏名が登録されるが、さらに、本人の生年月日、自宅電話番号などを登録必須条件として確認可能にすることが望ましい。
【００３２】
【発明の効果】
本発明の一時的会員に登録の非会員対応電話回線経由投票システムは以下に示す効果を奏する。
【００３３】
すなわち従来の電話回線経由投票システムではロック口座を持つ会員だけが利用できるようになっていたが、その投票システムに電子マネー決済サブシステムを備えて、非会員であっても直ちにインターネットを介して一時的な会員に登録すれば電子マネーにより投票することができるので、ロック口座を契約して正式な会員となる時間の要する手続をさけることができる。或は、ロック口座の契約が成立するまで、一時的会員となることができる。
【図面の簡単な説明】
【図１】本発明の電話回線経由投票システムの実施の形態の説明図である。
【図２】本発明の電話回線経由投票システムの動作の説明図（１）である。
【図３】本発明の電話回線経由投票システムの動作の説明図（２）である。
【図４】本発明の非会員（一時的会員）の照会／投票画面イメージ図である。
【図５】従来の電話回線経由投票システムの説明図である。
【符号の説明】
１０              電話回線経由投票システム
１１              パソコン応答サブシステム
１２              各社携帯電話応答サブシステム
１１ａ，１２ａ    ファイアウォール
１１ｂ，１２ｂ    Ｗｅｂサーバ
１１ｃ，１２ｃ    投票・情報照会応答コンピュータ
１１ｗ，１２ｗ    投票・情報照会応答手段
１１ｘ，１２ｘ    一時的会員登録処理／返信手段
１１ｙ，１２ｙ    一時的会員投票処理手段
１１ｚ，１２ｚ    的中金処理手段
１５              総合運用監理装置
１８              中継サーバ
１９              電子マネー決済サブシステム
１９ａ            ファイアウォール
１９ｂ            Ｗｅサーバ
１９ｃ            決済コンピュータ
１９ｄ            データベース
１９ｘ            一時的会員登録手段
１９ｙ            電子マネー確認手段
１９ｚ            一時加入者管理ファイル
２１              インターネット
２２              インターネット対応各社携帯電話網
３１              会員のＷｅｂブラウザ付パソコン
３２              会員のインターネット対応各社携帯電話
４０              総合センタ
５０              バックアップセンタ
６０              競馬場内外発信端末群
８１              非会員のＷｅｂブラウザ付パソコン
８２              非会員のインターネット対応各社携帯電話
９０              電子マネーシステムセンタ
【図１】
0003643886.tif 000002
【図２】
0003643886.tif 000003
【図３】
0003643886.tif 000004
【図４】
0003643886.tif 000005
【図５】
0003643886.tif 000006